【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
装置であって、
複数のコンテンツ項目を格納し、各々の条件が満足される時点まで前記コンテンツ項目へのアクセスを拒否するメモリと、
前記メモリに格納されたコンテンツ項目に対する条件が満足されたか否かを検証し、前記コンテンツ項目に対する前記条件が満足された場合、前記コンテンツ項目へのアクセスを許容する、前記メモリと接続されたプロセッサと、
前記条件が満足された場合、前記コンテンツ項目を表示（ｐｒｅｓｅｎｔｓ）する前記プロセッサと接続された出力装置と、を有し、
前記コンテンツ項目は、前記条件が満足される時点以前の時点で前記装置にダウンロード及び格納されることを特徴とするコンテンツを共有及び配布するための装置。
【請求項２】
バッテリーと、
前記メモリ及び前記バッテリーと接続され、データ伝送及びバッテリー充電を遂行可能なインターフェイスと、をさらに有し、
前記装置が前記インターフェイスを用いて充電される間に、前記コンテンツ項目は前記インターフェイスを通じて前記装置にダウンロード可能であることを特徴とする請求項１に記載のコンテンツを共有及び配布するための装置。
【請求項３】
前記メモリは、複数のコンテナに論理的に分割され、前記コンテナの中の１つ以上は、１つ以上のコンテナに予め格納されたコンテンツ項目を提供するコンテンツ供給者に割り当てられ、
前記複数のコンテナの各コンテナは、各々乱数（ｒａｎｄｏｍ  ｎｕｍｂｅｒ）を使用してアドレス指定されることを特徴とする請求項１に記載のコンテンツを共有及び配布するための装置。
【請求項４】
前記コンテンツ項目と関連されるラッパー（ｗｒａｐｐｅｒ）は、前記コンテンツ項目を一意的に識別する情報、前記コンテンツ項目がアクセスされたか否かを示す情報、前記コンテンツ項目がアクセスされた回数を識別する情報、及び前記コンテンツ項目がアクセスされた時点の前記装置の地理的位置を識別する情報からなる群より選択された情報を含み、
前記ラッパーは、前記装置によってのみアクセス可能であり、他の装置にアクセスされないように前記装置にプライベート（ｐｒｉｖａｔｅ）であり、
前記ラッパーは、前記装置によって格納され、前記コンテンツ項目が前記メモリから削除された場合、前記装置によって格納が維持されることを特徴とする請求項１に記載のコンテンツを共有及び配布するための装置。
【請求項５】
前記メモリと接続された通信インターフェイスをさらに有し、
前記通信インターフェイスは、前記装置と第２装置との通信接続が遂行可能であり、提供のために前記第２装置に前記コンテンツ項目を伝送することが遂行可能であることを特徴とする請求項１に記載のコンテンツを共有及び配布するための装置。
【請求項６】
メモリ、プロセッサ、及び出力装置を含む第１装置において、コンテンツ項目にアクセスし、取得する方法であって、
第２装置と通信リンクを確立する段階と、
前記第２装置に選好度情報を提供する段階と、
前記第２装置から前記選好度情報を満足するコンテンツ項目をダウンロードする段階と、を有し
前記選好度情報は、前記第１装置の使用者が関心を有するコンテンツのタイプを示し、
前記第１装置の使用者の身元は、前記第２装置から秘密にされ、
前記第１装置による前記コンテンツ項目へのアクセスは、前記コンテンツ項目と関連した条件が満足される時まで拒否され、前記条件が満足された場合、前記コンテンツ項目へのアクセスが許容されることを特徴とするコンテンツを取得するための方法。
【請求項７】
前記第１装置は、前記使用者の匿名性を維持しながら、前記第１装置に格納された他の情報に基づいて前記選好度情報を確率的に判別する段階をさらに有することを特徴とする請求項６に記載のコンテンツを取得するための方法。
【請求項８】
前記条件を満足する決済を遂行する段階をさらに有し、
前記決済は、前記使用者についての情報を公開しなくとも遂行されることを特徴とする請求項６に記載のコンテンツを取得するための方法。
【請求項９】
前記第２装置の使用者の身元は、前記第１装置から秘密にされることを特徴とする請求項６に記載のコンテンツを取得するための方法。
【請求項１０】
第３装置と通信リンクを確立する段階と、
前記第３装置にコンテンツ項目をアップロードする段階と、をさらに有することを特徴とする請求項６に記載のコンテンツを取得するための方法。
【請求項１１】
前記第１装置は、スマートフォンを含み、
前記第２装置及び第３装置の各々は、スマートフォン、キオスク（Ｋｉｏｓｋ）端末、自動販売機、及びバッテリー充電ステーションからなる群より選択された装置を含むことを特徴とする請求項１０に記載のコンテンツを取得するための方法。
【請求項１２】
前記第３装置から選好度情報を受信する段階をさらに有し、
前記第３装置からの前記選好度情報は、前記第３装置の使用者が関心を有するコンテンツのタイプを示し、
前記第１装置の使用者の身元は、前記第３装置から秘密にされ、前記第３装置の使用者の身元は、前記第１装置から秘密にされ、
前記第３装置にアップロードされた前記コンテンツ項目は、前記第３装置からの選好度情報を満足することを特徴とする請求項１０に記載のコンテンツを取得するための方法。
【請求項１３】
他の装置に特定コンテンツ項目に対する要請をアップロードする段階と、
前記特定コンテンツ項目をダウンロードすることに応答して、他の装置に取消メッセージをアップロードする段階と、をさらに有することを特徴とする請求項６に記載のコンテンツを取得するための方法。
【請求項１４】
前記コンテンツ項目と関連するラッパー（ｗｒａｐｐｅｒ）は、前記コンテンツ項目を一意的に識別する情報、前記コンテンツ項目がアクセスされたか否かを示す情報、前記コンテンツ項目がアクセスされた回数を識別する情報、前記コンテンツ項目がアクセスされた時点の地理的位置を識別する情報、及び前記コンテンツ項目に対する送り先（ｄｅｓｔｉｎａｔｉｏｎ）として前記第１装置を識別する情報からなる群より選択された情報を含むことを特徴とする請求項６に記載のコンテンツを取得するための方法。
【請求項１５】
メモリ、プロセッサ、及び出力装置を含む第１装置において、コンテンツを配布する方法であって、
第２装置と通信リンクを確立する段階と、
前記第２装置にコンテンツ項目をアップロードする段階と、を有し、
前記コンテンツ項目と関連した条件が満足されない限り、前記第２装置による前記コンテンツ項目へのアクセスは拒否されることを特徴とするコンテンツを配布するための方法。
【請求項１６】
前記第２装置から選好度情報を受信する段階をさらに有し、
前記選好度情報は、前記第２装置の使用者が関心を有するコンテンツのタイプを示し、
前記第２装置の使用者の身元は、前記第１装置から秘密にされ、前記第１装置の使用者の身元は、前記第２装置から秘密にされ、
前記コンテンツ項目は、前記選好度情報を満足することを特徴とする請求項１５に記載のコンテンツを配布するための方法。
【請求項１７】
前記第２装置は、スマートフォンを含み、
前記第１装置は、スマートフォン、キオスク（Ｋｉｏｓｋ）端末、自販機、及びバッテリー充電ステーションからなる群より選択された装置を含むことを特徴とする請求項１５に記載のコンテンツを配布するための方法。
【請求項１８】
特定のコンテンツ項目に対する要請を受信する段階をさらに有し、
前記特定のコンテンツ項目は、前記要請を満足し前記要請に応答してアップロードされることを特徴とする請求項１５に記載のコンテンツを配布するための方法。
【請求項１９】
前記特定のコンテンツ項目を識別する取消メッセージを受信する段階をさらに有することを特徴とする請求項１５に記載のコンテンツを配布するための方法。
【請求項２０】
前記コンテンツ項目と関連するラッパー（ｗｒａｐｐｅｒ）は、前記コンテンツ項目を一意的に識別する情報と、前記コンテンツ項目がアクセスされたか否かを示す情報と、前記コンテンツ項目がアクセスされた回数を識別する情報と、前記コンテンツ項目がアクセスされた時点の地理的位置を識別する情報と、前記コンテンツ項目の送り先（ｄｅｓｔｉｎａｔｉｏｎ）として前記第２装置を識別する情報からなる群より選択された情報を含むことを特徴とする請求項１５に記載のコンテンツを配布するための方法。